(57)【要約】【課題】扉の開閉操作を簡単に行なえるようにする。【解決手段】操作用のハンドル２が一体に設けられ内部が長さ方向に貫通する筒状となっている本体部１と、この本体部１を嵌入させ本体部１を水平軸心の周りで回転自在に支持し扉を貫通して扉に取り付けられるフランジ部材３と、本体部１の長さ方向の前側におけるほぼ半分に形成された収納スペース５に収納されたシリンダー４と、デッドピン１１の収納スペース１２に収納されシリンダー４の回転操作により前記フランジ部材３の径方向に移動してフランジ部材３の内面の溝部１４に対し出入し、シリンダー４とフランジ部材３とを係脱するデッドピン１１を備え、板ばね１０によってフランジ部材３に対して本体部１を時計または反時計方向に付勢するとともに、板ばね９によって本体部１に対してシリンダー４を時計または反時計方向に付勢し、本体部１の後端部に止め金６を外嵌させてねじ止めした。【選択図】        図２
2004225365.tif 000002
【特許請求の範囲】
【請求項１】
手前側の一端下側に操作用のハンドルが一体に設けられ内部が長さ方向に貫通する筒状となっている本体部と、この本体部の長さ方向の後側におけるほぼ半分を嵌入させ本体部を水平軸心の周りで回転自在に支持し、筐体の前面開口部を閉じる扉を貫通して扉に取り付けられるフランジ部材と、本体部の長さ方向の前側におけるほぼ半分に形成された収納スペースに水平軸心の周りで回転自在に収納されたシリンダーと、前記収納スペースの後端部に隣接して形成されたデッドピンの収納スペースに収納されシリンダーの回転操作により前記フランジ部材の径方向に移動してフランジ部材の内面の溝部に対し出入し、シリンダーとフランジ部材とを係脱するデッドピンを備え、板ばねによってフランジ部材に対して本体部を時計または反時計方向に付勢するとともに、板ばねによって本体部に対してシリンダーを時計または反時計方向に付勢し、フランジ部材から後方に突出する本体部の後端部に止め金を外嵌させてねじ止めしてなることを特徴とする扉用ロックハンドル。
【発明の詳細な説明】
【０００１】
【発明の属する技術分野】
本発明は筐体の前面開口部を閉じる扉に取り付けられる扉用ロックハンドル装置に関するものである。
【０００２】
【従来の技術】
従来のこの種扉用ロックハンドル装置としては、例えば特許文献１に開示されているものが知られている。この特許文献１に開示されている扉用ロックハンドル装置は、錠前ユニットの鍵孔に鍵を挿入してロック解除を行ない、その状態で手によってハンドルを回転操作して、ハンドルに一体に繋がる軸部の端部に取り付けられた止め金を回転させて筐体の枠との係合を外し、扉を開くようになっている。また、扉を閉じて施錠する場合はハンドルを握って扉を閉じるとともにハンドルを回転させて止め金を筐体の枠に係合させ、その状態で錠前ユニットの鍵孔に鍵を挿入してロックを行なうようになっている。
【０００３】
しかしながら、扉の開閉の度に鍵孔に鍵を挿入してロック解除ならびにロックを行なうとともに、ハンドルを回転操作しなければならず、操作に手間がかかるという問題があった。
【０００４】
【特許文献１】
特公平８−２３２３８号公報
【０００５】
【発明が解決しようとする課題】
本発明はこのような課題を解決するもので、扉の開閉操作を簡単に行なえるようにすることを目的とするものである。
【０００６】
【課題を解決するための手段】
この課題を解決するために本発明は、手前側の一端下側に操作用のハンドルが一体に設けられ内部が長さ方向に貫通する筒状となっている本体部と、この本体部の長さ方向の後側におけるほぼ半分を嵌入させ本体部を水平軸心の周りで回転自在に支持し、筐体の前面開口部を閉じる扉を貫通して扉に取り付けられるフランジ部材と、本体部の長さ方向の前側におけるほぼ半分に形成された収納スペースに水平軸心の周りで回転自在に収納されたシリンダーと、前記収納スペースの後端部に隣接して形成されたデッドピンの収納スペースに収納されシリンダーの回転操作により前記フランジ部材の径方向に移動してフランジ部材の内面の溝部に対し出入し、シリンダーとフランジ部材とを係脱するデッドピンを備え、板ばねによってフランジ部材に対して本体部を時計または反時計方向に付勢するとともに、板ばねによって本体部に対してシリンダーを時計または反時計方向に付勢し、フランジ部材から後方に突出する本体部の後端部に止め金を外嵌させてねじ止めしてなることを要旨とするものである。
【０００７】
この構成により、扉を開くときはシリンダーに鍵を差し込んでシリンダーを回転させることにより閉塞状態のロックが解除されるとともに板ばねによって本体部（ハンドルを含む）も回転し、この本体部の時計または反時計方向への回転により止め金も一緒に回転して筐体との係止が解除され、ハンドルを握って扉を開くことができ、本体部（ハンドルを含む）を手で回転操作させる必要がなく、開扉操作を簡単に行なうことができる。また、扉を閉じるときは扉が閉まり切った状態においてハンドルを握って本体部を板ばねのばね力に抗して所定角度回すことにより閉塞状態がロックされることになり、シリンダーに鍵を差し込むなどの操作が不要であり、閉扉操作を簡単に行なうことができる。
【０００８】
【発明の実施の形態】
以下、本発明の一実施の形態について、図面に基づいて説明する。
図１〜図７において、１はロックハンドル装置の本体部で、内部が筒状となっており、この本体部１の手前側の一端下側に操作用のハンドル２が一体に設けられている。この本体部１の長さ方向の後側におけるほぼ半分がフランジ部材３に嵌入されてフランジ部材３に対して水平軸心の周りで回転自在となっている。なお、本体部１の後端部はフランジ部材３から後方に突出する。前記本体部１の内部は前述のように筒状となっていて長さ方向に貫通しており、本体部１の長さ方向の前側におけるほぼ半分にシリンダー４の収納スペース５が形成され、本体部１の長さ方向の後側におけるほぼ半分に止め金６の取り付け用のボルト７を螺入させる雌ねじ孔８が形成されている。前記収納スペース５にはシリンダー４が水平軸心の周りで回転自在に収納され、シリンダー４の外周を取り巻くように設けられた円形に湾曲する板ばね９の一端９ａがシリンダー４の外周面に形成した係合溝４ａに係合し、この板ばね９の他端９ｂが前記収納スペース５の内周面に形成した係合溝５ａに係合している。また、前記フランジ部材３に対する本体部１の嵌入部において、本体部１の外周を取り巻くように設けられた円形に湾曲する板ばね１０の一端１０ａが本体部１の外周面に形成した係合溝１ａに係合し、この板ばね１０の他端１０ｂが前記フランジ部材３の内周面に形成した係合溝３ａに係合している。そして、前記板ばね１０によってフランジ部材３に対して本体部１を時計方向に付勢し、また前記板ばね９によって本体部１に対してシリンダー４を時計方向に付勢している。ところで、前記収納スペース５の後端部に隣接してデッドピン１１の収納スペース１２が形成されている。このデッドピン１１の収納スペース１２は本体部１を直径方向に貫通し、この収納スペース１２に収納されたデッドピン１１が収納スペース１２より外側に飛び出してデッドピン１１の一端がフランジ部材３の内面に形成された溝部１４に係止するように構成されている。このデッドピン１１には前記シリンダー４の後端部に設けられシリンダー４と一体に回転する回転駒１５から後方に突出するピン１６が係合し、前記板ばね９の付勢力に抗したシリンダー４の反時計方向への回転操作によりピン１６と係合するデッドピン１１が前記フランジ部材３の径方向に移動してフランジ部材３の内面の溝部１４から抜け出し、このデッドピン１１によるシリンダー４の係止が解除され、かかる状態で本体部１は板ばね１０の付勢力によりフランジ部材３に対して時計方向に回転することになる。ところで、前記ハンドル２の上側に位置する収納スペース１２に内蔵されたシリンダー４の前端部はビス１７により枢結された開閉自在な蓋体１８により覆われ、蓋体１８を回転させてシリンダー４の前端部を露出させた状態でシリンダー４の前端部に形成された―溝４ｂに鍵を差し込んでシリンダー４を時計方向に回転させることができるようになっている。
【０００９】
上記のような構成のロックハンドル装置は前記フランジ部材３の後方に突出する筒状部３ｂを筐体１９の前面開口部を閉じる扉２０に形成されている孔部（図示せず）に外側から嵌入させ、孔部から扉２０の内側に突出する筒状部３ｂの外面雄ねじ部３ｃに雌ねじ部材２１を螺合させて締め付けることにより扉２０に取り付けられる。なお、前記扉２０の外面とフランジ部材３との間にはシート状パッキン２２が介在され、扉２０の内面と雌ねじ部材２１との間には座金２３が介在されている。このようにロックハンドル装置が扉２０に取り付けられた状態においてフランジ部材３から後方に突出する本体部１の後端部に止め金６を外嵌させ、本体部１の後端部の雌ねじ孔８にボルト７を螺合させて締め付けることにより取り付け作業が完了する。ところで、本体部１の後端部に止め金６を外嵌させるとき、止め金６を複数枚の座金２４により前後から挟むようにしてボルト７による締め付け力が止め金６に作用するようにしている。
【００１０】
上記構成において、閉じられた扉２０を開くときは前記蓋体１８を開いてシリンダー４の前端部を露出させ、かかる状態でシリンダー４の―溝４ｂに鍵を差し込んでシリンダー４を前記板ばね９のばね力に抗して反時計方向に回転させることにより前記デッドピン１１が前記フランジ部材３の内面の溝部１４から抜け出し、このデッドピン１１によるシリンダー４の係止が解除され、デッドピン１１はフランジ部材３の内面に接触しながら前記本体部１（ハンドル２を含む）は前記板ばね１０のばね力によってフランジ部材３に対して時計方向に回転する。この本体部１の時計方向への回転により本体部１の後端部にボルト７により取り付けられている止め金６も一緒に回転して筐体１９の枠１９ａの孔部１９ｂから外れ、ハンドル２を握って扉２０を開くことができる。なお、前記シリンダー４の―溝４ｂに鍵を差し込んでシリンダー４を前記板ばね９のばね力に抗して反時計方向に回転させた後、シリンダー４に対して回転させる力を除くとシリンダー４は前記板ばね９のばね力により元の状態まで回転し、デッドピン１１が孔部１３から飛び出そうとするが、前記本体部１を元の状態に戻さない限りデッドピン１１は前記フランジ部材３の内面の溝部１４に係合することができない。
【００１１】
以上のようにして開かれた扉２０を閉じるときは扉２０を手で直接押すか、ハンドル２を握って閉動させ、扉２０が閉まり切った状態においてハンドル２を握って本体部１を板ばね１０のばね力に抗して反時計方向に所定角度回すことによりデッドピン１１が前記フランジ部材３の内面の溝部１４の位置で溝部１４に嵌入して閉塞状態がロックされる。なお、本体部１を板ばね１０のばね力に抗して反時計方向に所定角度回すことによって前記止め金６も一緒に回転して筐体１９の枠１９ａの孔部１９ｂに係止し、扉２０の閉塞状態を維持できることになる。
【００１２】
【発明の効果】
以上のように本発明によれば、扉を開くときはシリンダーに鍵を差し込んでシリンダーを回転させることにより閉塞状態のロックが解除されるとともに板ばねによって本体部（ハンドルを含む）も回転し、この本体部の時計または反時計方向への回転により止め金も一緒に回転して筐体との係止が解除され、ハンドルを握って扉を開くことができ、本体部（ハンドルを含む）を手で回転操作させる必要がなく、開扉操作を簡単に行なうことができる。また、扉を閉じるときは扉が閉まり切った状態においてハンドルを握って本体部を板ばねのばね力に抗して所定角度回すことにより閉塞状態がロックされることになり、シリンダーに鍵を差し込むなどの操作が不要であり、閉扉操作を簡単に行なうことができる。
【図面の簡単な説明】
【図１】本発明の一実施の形態におけるロックハンドル装置の正面図である。
【図２】同ロックハンドル装置の施錠時の状態を示す横断面図である。
【図３】同ロックハンドル装置の施錠時の状態を示す縦断面図である。
【図４】同ロックハンドル装置の解錠時の状態を示す横断面図である。
【図５】同ロックハンドル装置の解錠時の状態を示す正面図である。
【図６】同ロックハンドル装置の斜視図である。
【図７】同筐体におけるロックハンドル装置の取付部の切り欠き正面図である。
【符号の説明】
１      本体部
１ａ    係合溝
２      ハンドル
３      フランジ部材
３ａ    係合溝
３ｂ    筒状部
３ｃ    外面雄ねじ部
４      シリンダー
４ａ    係合溝
４ｂ    ―溝
５      収納スペース
５ａ    係合溝
６      止め金
７      ボルト
８      雌ねじ孔
９      板ばね
９ａ    一端
９ｂ    他端
１０      板ばね
１０ａ    一端
１０ｂ    他端
１１      デッドピン
１２      収納スペース
１４      溝部
１５      回転駒
１６      ピン
１９      筐体
１９ａ    枠
１９ｂ    孔部
２０      扉
２１      雌ねじ部材
【図１】
2004225365.tif 000003
【図２】
2004225365.tif 000004
【図３】
2004225365.tif 000005
【図４】
2004225365.tif 000006
【図５】
2004225365.tif 000007
【図６】
2004225365.tif 000008
【図７】
2004225365.tif 000009